(57)【要約】  一層簡単な構造にて優れた放熱性を発揮でき、かつ、部品点数を減らすことにより製品の生産性を高めることができる表示装置を提供する。  側面から入射された光をその一面から出射させる導光板５を備え、導光板５から出射された光を用いて画像の表示を行うテレビジョン受像機１００において、導光板５と一体成型されており、一面が導光板５の他面と接する吸熱板６を備え、該吸熱板６は導光板５が発する熱を吸収して放熱する。
2015159397.tif 000002
【特許請求の範囲】
【請求項１】
側面から入射される光を一面から出射させる導光板を備え、該導光板からの光にて画像表示を行う表示装置において、
前記導光板と一体成型され、一面が該導光板の他面と接し、該導光板から熱を吸収する吸熱板を備えることを特徴とする表示装置。
【請求項２】
前記吸熱板は空洞を有し、
該空洞内には冷却液が注入されていることを特徴とする請求項１に記載の表示装置。
【請求項３】
前記吸熱板は他面に凸凹を有することを特徴とする請求項１又は２に記載の表示装置。
【請求項４】
前記吸熱板の一面は白色であることを特徴する請求項１から３の何れかに記載の表示装置。
【請求項５】
前記吸熱板の他面と接する放熱板を備えることを特徴とする請求項１から４の何れかに記載の表示装置。
【請求項６】
前記導光板の一面側に設けられた光学シートと、
前記導光板の一面の縁部に設けられ、該導光板及び前記光学シートの間隔を保持する間隔保持部とを備え、
該間隔保持部は空洞を有することを特徴とする請求項１から５の何れかに記載の表示装置。
【請求項７】
前記光学シートを介して入射される光を用いて画像を表示する表示パネルを備え、
前記間隔保持部は、前記光学シート及び表示パネルの間隔を保つように構成されていることを特徴とする請求項６に記載の表示装置。
【請求項８】
前記間隔保持部、導光板、及び吸熱板は一体成型されていることを特徴とする請求項６又は７に記載の表示装置。
【請求項９】
前記導光板の一側面の付近に設けられた光源を備え、
前記吸熱板の凸部は、前記導光板の一側面に係る縁部に設けられていることを特徴とする請求項１から８の何れかに記載の表示装置。
【請求項１０】
前記光源は、発光素子と、該発光素子を一面に実装した基板とを有しており、
前記基板の他面側に該基板の熱を吸収する中空の吸熱部を備え、
該吸熱部は前記吸熱板と一体成型されていることを特徴とする請求項９に記載の表示装置。
【発明の詳細な説明】
【技術分野】
【０００１】
本発明は、側面から入射される光を一面から出射させる導光板を備え、該導光板からの光にて画像表示を行う表示装置に関する。
【背景技術】
【０００２】
近年、大画面の液晶表示装置が広く普及しており、これと共に、画像の高精細化が求められている。【０００３】
一方、特許文献１においては、パネルフレームのＬＥＤ光源ブロックを配置した端部において、ＬＥＤ光源ブロックから導光板・反射シートの少なくとも一部まで広がる凹み部を設け、さらに凹み部に、ＬＥＤ光源ブロックの端部から導光板・反射シートの少なくとも一部まで広がり、かつパネルフレームに固定された、反射断熱部材を設けることにより、光の取り出し効率を向上し、かつ光学部材の劣化を抑制することで、良好な光学特性を有する液晶表示装置が開示されている。【０００４】
また、特許文献２においては、パイプ部を有するプレート型放熱部と、このプレート型放熱部の側端部に配置されたＬＥＤ光源と、このＬＥＤ光源に接して受熱し、前記プレート型放熱部に接続される受熱部とを備え、優れた放熱性を有する液晶表示装置用バックライトユニットが開示されている。
【先行技術文献】
【特許文献】
【０００５】
【特許文献１】特開２０１０−０７２２６２号公報
【特許文献２】特開２００６−２９３１８２号公報
【発明の概要】
【発明が解決しようとする課題】
【０００６】
一方、液晶表示装置の巨大化及び高精細化に伴い、光源（例えば、ＬＥＤ）に高電力を供給する必要があり、これによって、斯かる光源及び液晶表示装置において、稼働中の発熱量が多くなっている。【０００７】
これに対して、特許文献１に斯かる液晶表示装置においては、斯かる発熱の抑制又は放熱に対して考慮しておらず、対応出来ない。【０００８】
また、引用文献２においては、プレート型放熱部を設けて、ＬＥＤ光源からの熱を放熱しているものの、パイプ部、受熱部等を必要とする複雑な構成であり、装置の生産コストが増加し、生産性も劣る。【０００９】
本発明は、斯かる事情に鑑みてなされたものであり、その目的とするところは、側面から入射される光を一面から出射させる導光板を備え、該導光板からの光にて画像表示を行う表示装置において、前記導光板と一体成型され、一面が該導光板の他面と接し、該導光板から熱を吸収する吸熱板を備えることにより、一層簡単な構造にて優れた放熱性を発揮でき、かつ、部品点数を減らして生産性を高めることができる表示装置を提供することにある。
【課題を解決するための手段】
【００１０】
本発明に係る表示装置は、側面から入射される光を一面から出射させる導光板を備え、該導光板からの光にて画像表示を行う表示装置において、前記導光板と一体成型され、一面が該導光板の他面と接し、該導光板から熱を吸収する吸熱板を備えることを特徴とする。【００１１】
本発明にあっては、前記吸熱板が前記導光板と一体成型されているので、部品点数を減らすことができる。また、前記吸熱板が、前記導光板の他面から、該導光板が発する熱を吸収する。【００１２】
本発明に係る表示装置は、前記吸熱板は空洞を有し、該空洞内には冷却液が注入されていることを特徴とする。【００１３】
本発明にあっては、前記吸熱板によって前記導光板の他面から吸収された熱は、前記空洞内の冷却液により冷却される。従って、効率良く前記導光板が発する熱を放熱できる。【００１４】
本発明に係る表示装置は、前記吸熱板は他面に凸凹を有することを特徴とする。【００１５】
本発明にあっては、前記吸熱板の他面が凸凹を有するので、該他面での比表面積が増加し、より効果的に放熱することができる。また、該他面での強度を高め、前記吸熱板の変形を防止する。【００１６】
本発明に係る表示装置は、前記吸熱板の一面は白色であることを特徴する。【００１７】
本発明にあっては、前記導光板の他面と接する前記吸熱板の一面が白色であり、前記導光板の他面を介して出射される光を前記導光板の一面に向けて反射させて、画像表示における輝度を高めることができる。【００１８】
本発明に係る表示装置は、前記吸熱板の他面と接する放熱板を備えることを特徴とする。【００１９】
本発明にあっては、前記吸熱板によって前記導光板の他面から吸収された熱は、前記空洞内に注入されている冷却液により冷却され、かつ、前記放熱板に伝導されて、空気中に放熱される。【００２０】
本発明に係る表示装置は、前記導光板の一面側に設けられた光学シートと、前記導光板の一面の縁部に設けられ、該導光板及び前記光学シートの間隔を保持する間隔保持部とを備え、該間隔保持部は空洞を有することを特徴とする。【００２１】
本発明にあっては、前記間隔保持部が内部に空洞を有するので、ある程度の変形が可能であり、例えば、外部から衝撃を受けた場合でも、それを吸収して、前記導光板及び光学シートの間隔を保持する。【００２２】
本発明に係る表示装置は、前記光学シートを介して入射される光を用いて画像を表示する表示パネルを備え、前記間隔保持部は、前記光学シート及び表示パネルの間隔を保つように構成されていることを特徴とする。【００２３】
本発明にあっては、前記間隔保持部は、前記導光板及び光学シートの間隔のみならず、前記光学シート及び表示パネルの間隔も維持するように構成されているので、更に部品点数を減らすことができる。【００２４】
本発明に係る表示装置は、前記間隔保持部、導光板、及び吸熱板は一体成型されていることを特徴とする。【００２５】
本発明にあっては、前記間隔保持部、導光板、及び吸熱板が一体成型されているので、部品点数が減少し、かつ、組み立て工程が簡単になり、生産性が増加する。【００２６】
本発明に係る表示装置は、前記導光板の一側面の付近に設けられた光源を備え、前記吸熱板の凸部は、前記導光板の一側面に係る縁部に設けられていることを特徴とする。【００２７】
本発明にあっては、前記吸熱板の凸部は、前記光源の付近である、前記導光板の一側面に係る縁部に設けられ、前記導光板の発熱の原因となる光源から熱が伝導される場合、前記導光板の全体に拡散される前、斯かる熱を吸収する。【００２８】
本発明に係る表示装置は、前記光源は、発光素子と、該発光素子を一面に実装した基板とを有しており、前記基板の他面側に該基板の熱を吸収する中空の吸熱部を備え、該吸熱部は前記吸熱板と一体成型されていることを特徴とする。【００２９】
本発明にあっては、前記光源において、前記発光素子から発せられる熱が前記基板を介して、該基板の他面側の前記吸熱部に吸収され、吸収された熱は、前記吸熱板を介して放熱される。
【発明の効果】
【００３０】
本発明によれば、その一面が前記導光板の他面と接し、該導光板から熱を吸収する吸熱板が該導光板と一体成型されているので、より簡単な構造にて優れた放熱性を発揮でき、かつ、部品点数を減らして生産性を高めることができる。
【図面の簡単な説明】
【００３１】
【図１】本発明の実施の形態１に係るテレビジョン受像機の外観を示す正面図である。
【図２】図１のＡ−Ａ線による縦断面図である
【図３】図２の一部を拡大した拡大図である。
【図４】本発明の実施の形態１に係るテレビジョン受像機における、放熱板の配置を説明する説明図である。
【図５】図４のＢ−Ｂ線による部分断面図である。
【図６】本発明の実施の形態１に係るテレビジョン受像機において、一体成型された間隔保持部、導光板及び吸熱板を示す例示図である。
【図７】本発明の実施の形態２に係るテレビジョン受像機の要部構成を示す部分的縦断面図である。
【図８】本発明の実施の形態３に係るテレビジョン受像機の要部構成を示す部分的縦断面図である。
【発明を実施するための形態】
【００３２】
以下に、本発明の実施の形態に係る表示装置を、テレビジョン受像機に適用した場合を例として、図面に基づいて詳述する。
【００３３】
（実施の形態１）
図１は本発明の実施の形態１に係るテレビジョン受像機の外観を示す正面図である。図中符号１００は、本発明の実施の形態１に係るテレビジョン受像機を示す。以下、説明の便宜上、図面視左右方向を横方向、図面視上下方向を縦方向という。
【００３４】
図２は図１のＡ−Ａ線による縦断面図である。本発明の実施の形態１に係るテレビジョン受像機１００は、図１に示したように、表側の一面に映像を表示する矩形の液晶表示パネル２を備えている。また、液晶表示パネル２の裏側には、液晶表示パネル２に光を照射する光源装置１が配置されている。
【００３５】
光源装置１は、光源部３と、光学シート４と、導光板５と、吸熱板６とを備えている。また、図３は図２の一部を拡大した拡大図である。
【００３６】
光学シート４は一面が液晶表示パネル２の他面と対向するように配置されており、また、導光板５は一面が光学シート４の他面と対向するように配置され、更に吸熱板６は一面が導光板５の他面と対向するように配置されている。
【００３７】
液晶表示パネル２の縁側には、フロントカバー７が配置されている。フロントカバー７は、ユーザによって視認される液晶表示パネル２の一面の形状に倣う中空の矩形の表示窓７１を有している。ユーザは表示窓７１を介して液晶表示パネル２の前記一面に表示される画像を視認することができる。
【００３８】
また、図３で示すように、液晶表示パネル２は、前記一面の周縁部が表示窓７１によって覆われている。より詳しくは、液晶表示パネル２の前記一面の周縁部に沿って設けられたクッションＣを介して、表示窓７１が液晶表示パネル２の周縁部を後述する間隔保持部８に押し付けることにより、液晶表示パネル２を保持している。
【００３９】
また、液晶表示パネル２は前記他面に偏光板（図示せず）を設けており、該偏光板を用いて入射される光をＰ波（水平偏向成分）とＳ波（垂直偏向成分）に分離し、Ｐ波だけが一面に向けて出て行き、Ｓ波は該偏光板に吸収されるように構成されている。液晶表示パネル２は、例えば電気泳動液晶パネルであっても良い。
【００４０】
光学シート４は、光源部３から発せられ、導光板５を介して入射される光に対して拡散、集光等を行ない、より均一な光を液晶表示パネル２に向けて出射させる、公知のものである。例えば、光学シート４は、２枚の拡散シートと、１枚のプリズムシートとからなり、該プリズムシートは２枚の拡散シートの間に介在している。
【００４１】
前記２枚の拡散シートのうち導光板５側に配置された一の拡散シートは、導光板５を介して光源部３から入射される光を拡散させて前記プリズムシートに入射させる光学シートである。また、前記プリズムシートは、前記一の拡散シートを介して入射される光を集光して他の拡散シートに向けて出射させる光学シートである。前記プリズムシートを通過した光は、該プリズムシートに対して垂直に前記他の拡散シートへ入射される。
【００４２】
前記２枚の拡散シートのうち液晶表示パネル２側に配置された前記他の拡散シートは、前記プリズムシートを介して入射される光を更に拡散させてより均一な輝度分布にして液晶表示パネル２に向けて出射させる光学シートである。
【００４３】
光学シート４の他面側には、矩形の導光板５が配置されている。導光板５は光源部３が発する光を光学シート４（液晶表示パネル２）に導く。例えば、導光板５は、光学シート４の他面と対向する一面に、光源部３から入射された光が液晶表示パネル２方向に進行するようにパターンが形成された出射面を有するように構成してもよい。これによって、導光板５は、光源部３から入射される光を平面光に変えて前記出射面を通じて光学シート４に均一に伝達することができる。
【００４４】
また、導光板５は、例えば透明度の高いアクリル樹脂からなり、導光板５の他面には、その一面６１が該他面と接するように、吸熱板６が配置されている。
【００４５】
吸熱板６は、例えば、プラスチック製であり、一面６１が導光板５と略等しい形状及び大きさを有しており、一面６１が反射性の良い白色である。従って、光源部３から導光板５に入射して導光板５の他面から出射される光を反射し、光を導光板５の前記出射面側に戻す機能を有する。また、一面６１の色は白色に限るものでなく、無彩色であって、導光板５の他面から出射される光を反射するという目的を達成できる色であれば良い。
【００４６】
更に、吸熱板６は、他面が凸凹するように形成されている。吸熱板６の他面は、このように凸凹することから、強度が高くなり、導光板５と、後述する放熱板９との間に介在して、スペーサーとしての役割をなし得る。換言すれば、吸熱板６の他面を凸凹するように構成することにより、吸熱板６の他面を支える、いわゆるバックライトシャーシを省くことができる。
【００４７】
吸熱板６の他面には、凸部６４，６４，・・・６４と、凹部６３，６３，・・・６３とが形成されており、凸部６４は内部が空洞６５である。従って、凸部６４（凹部６３）は所定範囲での変形が可能であるので、放熱板９の表面形状に関わることなく、スペーサーとして導光板５と所定の間隔を保持することができる。
【００４８】
また、吸熱板６は、凸部６４の空洞６５内に冷却液６６が注入されている。従って、導光板５が発する熱は、吸熱板６の一面６１を介して凸部６４の冷却液６６に冷却され、導光板５（又は光源装置１）が過熱になることを未然に防ぐことができる。
【００４９】
一方、吸熱板６の他面側には、その一面が吸熱板６の他面と接するように、２枚の放熱板９が配置されている。放熱板９は、例えば、熱伝導性の優れたアルミニウムからなる。すなわち、吸熱板６の他面側の凸部６４が放熱板９の一面と接触している。
【００５０】
図４は本発明の実施の形態１に係るテレビジョン受像機１００における、放熱板９の配置を説明する説明図である。また、図５は図４のＢ−Ｂ線による部分断面図である。
【００５１】
放熱板９は短冊状を有しており、長手方向の寸法が導光板５又は吸熱板６の長手方向の寸法と略等しい。また、放熱板９は、導光板５又は吸熱板６の長辺側の両縁部に沿って各々設けられている。更に、放熱板９は、後述する光源部３の基板３２の他面側に、該他面に沿って設けられた屈曲部９１を有している。換言すれば、放熱板９は、光源部３側の端が放熱板９の厚み方向に曲げられている。
【００５２】
このような放熱板９は、吸熱板６を介して伝導される導光板５が発する熱を、空気中に放熱する。すなわち、導光板５（光源部３）が発する熱は、吸熱板６の一面６１を介して凸部６４の冷却液６６に冷却され、また、冷却液６６によって放熱板９に伝導される。更に、凸部６４（冷却液６６）から放熱板９に伝導された熱は、放熱板９の全体に熱拡散し、放熱板９の他面全体から空気中に放熱される。
【００５３】
本発明においては、上述したような構成を有することから、導光板５（光源部３）が発する熱を効果的に冷却することができる。すなわち、凸部６４の空洞６５内に冷却液６６が注入されているので、空洞６５に冷却液６６が注入されていない場合に比べ、導光板５からの熱の吸収量が多くなる。
【００５４】
また、冷却液６６は液体であるので、空洞６５に冷却液６６が注入されていない場合に比べ、放熱板９への熱伝導が容易になる。
【００５５】
更に、光源部３（基板３２）の熱が屈曲部９１を介して放熱板９の全体に拡散され、放熱板９の他面全体から空気中に放熱されるので、直接的に光源部３が発する熱を放熱することも可能である。
【００５６】
以上の記載に限るものでなく、本発明に係るテレビジョン受像機１００においては、放熱板９の他面又は吸熱板６（凹部６３）にＶＥＳＡ規格の金具Ｖ，Ｖを更に取り付けることも可能である。
【００５７】
更に、本発明に係るテレビジョン受像機１００は、上述した、液晶表示パネル２、光学シート４及び導光板５の各々を所定の間隔にて保持する間隔保持部８を備えている。間隔保持部８は、液晶表示パネル２、光学シート４及び導光板５の長辺側の縁部に沿って設けられている。間隔保持部８は、図２及び図３に示すように、縦断面視クランク状をなしており、２段の屈曲部を有している。
【００５８】
換言すれば、間隔保持部８は、液晶表示パネル２、光学シート４又は導光板５と平行な２つの平面部８１，８２を備えており、前記クランク状に係る一端部が光学シート４及び導光板５の間に介在している。一方の平面部８１は、間隔保持部８の前記クランク状の他端部に形成されており、他方の平面部８２は、前記クランク状の一端部及び他端部の間に形成されている。以下、前記クランク状の一端部、及び、前記クランク状の他端部を、単に、一端部及び他端部と言う。
【００５９】
平面部８２には、光学シート４の縁部が載置され、かつ、上述したように、間隔保持部８の一端部は光学シート４及び導光板５の間に介在することにより、光学シート４及び導光板５が一定の間隔を維持しながら保持される。
【００６０】
また、平面部８１には、液晶表示パネル２の縁部が載置される。これによって、液晶表示パネル２及び光学シート４が一定の間隔を維持しながら保持される。
【００６１】
更に、間隔保持部８は内部に空洞８３を有する。このように、間隔保持部８は空洞８３を有することから、所定範囲の変形が可能であり、いわゆるクッションとしての役割をなす。従って、外部からの衝撃を吸収しつつ、液晶表示パネル２、光学シート４及び導光板５を保持することが可能である。
【００６２】
なお、間隔保持部８は白色を有している。従って、導光板５及び光学シート４からの光を反射する。すなわち、導光板５及び光学シート４からの光を間隔保持部８が反射することにより、これらの縁部において、局所的に輝度のムラが生じることを未然に防止できる。
【００６３】
一方、本発明に係るテレビジョン受像機１００において、間隔保持部８、導光板５及び吸熱板６は一体成型されている。図６は本発明の実施の形態１に係るテレビジョン受像機１００において、一体成型された間隔保持部８、導光板５及び吸熱板６を示す例示図である。
【００６４】
図６に示すように、本発明に係るテレビジョン受像機１００においては、間隔保持部８、導光板５及び吸熱板６は一体成型されており、これらは、例えば、ガスアシスト成形方法によって成型される。斯かるガスアシスト成形方法は、射出成形の際、ガスを注入することにより、製品内に空洞を形成する公知の技術であり、ここでは詳しい説明を省略する。
【００６５】
また、本発明に係るテレビジョン受像機１００においては、間隔保持部８、導光板５及び吸熱板６の一体成型に、いわゆる２色成型方法が更に用いられる。斯かる２色成型方法は、射出成形の際、複数ノズルを用いて順次的に注入を行うことにより、複数色を有する製品を得ることができる公知の技術であり、ここでは詳しい説明を省略する。
【００６６】
本発明に係るテレビジョン受像機１００においては、前記２色形型方法を用いることにより、上述したように、吸熱板６の一面及び間隔保持部８のみを白色にすることができる。また、前記２色形型方法を用いることにより、放熱板９の他面又は吸熱板６（凹部６３）に金具Ｖ，Ｖを取り付けるためのＢＯＳＳを予め作成することも可能である。
【００６７】
このように、本発明に係るテレビジョン受像機１００においては、間隔保持部８、導光板５及び吸熱板６が一体成型されている。更に、上述したように、バックライトシャーシを省くことができる。従って、製品の組み立てが容易となり、製造工程が簡単になって、製品の生産性を高めることができる。
【００６８】
なお、間隔保持部８の前記他端部には、導光板５から吸熱板６方向に延びる脚板８４が設けられている。脚部８４が放熱板９（屈曲部９１）の外側と外嵌することにより、間隔保持部８、導光板５及び吸熱板６の一体物に放熱板９が取り付けられる。
【００６９】
一方、縦方向における、導光板５の一側面付近には、光源部３が設けられている。光源部３は、導光板５の前記一側面に対して対向配置された短冊状の基板３２と、基板３２の長手方向に沿って基板３２の一面に実装された複数の光源３１，３１,・・・３１とを有する。
【００７０】
光源３１は、例えば、冷陰極蛍光ランプ（ＣＣＦＬ：Ｃｏｌｄ Ｃａｔｈｏｄｅ Ｆｌｕｏｒｅｓｃｅｎｃｅ Ｌａｍｐ）、外部電極蛍光ランプ（ＥＥＦＬ：Ｅｘｔｅｒｎａｌ Ｅｌｅｃｔｒｏｄｅ Ｆｌｕｏｒｅｓｃｅｎｔ Ｌａｍｐ）、熱陰極管（ＨＣＦＬ：Ｈｏｔ  Ｃａｔｈｏｄｅ  Ｆｌｕｏｒｅｓｃｅｎｔ  Ｌａｍｐ）又は発光ダイオード（ＬＥＤ：Ｌｉｇｈｔ Ｅｍｉｔｔｉｎｇ Ｄｉｏｄｅ）等である。
【００７１】
（実施の形態２）
実施の形態１においては、吸熱板６が導光板５と略等しい形状及び大きさを有し、凸部６４及び凹部６３が、吸熱板６の他面に全体的に形成されている場合について説明したが、本発明はこれに限るものでない。
【００７２】
図７は本発明の実施の形態２に係るテレビジョン受像機１００の要部構成を示す部分的縦断面図である。本発明の実施の形態２に係るテレビジョン受像機１００においては、吸熱板６の他面に凸部６４のみが形成されている。
【００７３】
本発明の実施の形態２に係るテレビジョン受像機１００において、凸部６４は、吸熱板６の他面であって、矩形である吸熱板６の長辺側の縁部に形成されている。より詳しくは、凸部６４は、光源部３付近の吸熱板６の縁部にのみ形成されている。吸熱板６の前記他面において、凸部６４以外の部分は、後述するバックライトシャーシ１０と接する扁平面６７である。扁平面６７はバックライトシャーシ１０によって支えられている。
【００７４】
凸部６４は、実施の形態１のそれと同様、内部が空洞６５である。また、凸部６４の空洞６５内に冷却液６６が注入されていても良い。
【００７５】
特に、実施の形態２に係るテレビジョン受像機１００においては、凸部６４が光源部３付近の吸熱板６の縁部にのみ形成されているので、より効果的に、光源部３及び導光板５からの熱を吸収することができる。
【００７６】
すなわち、導光板５が発する熱は、そもそも光源部３が発する熱に起因することから、光源部３付近に凸部６４を形成した構成を有することにより、光源部３が発する熱を、該光源部３から直接的に吸収でき、かつ導光板５の全体に熱が拡散される前、光源部３付近の吸熱板６の縁部から間接的に吸収する。従って、より効率的に、導光板５（又は光源装置１）が過熱になることを未然に防ぐことができる。
【００７７】
実施の形態１と同様の部分については、同一の符号を付して詳細な説明を省略する。
【００７８】
（実施の形態３）
実施の形態１においては、吸熱板６が導光板５と略等しい形状及び大きさを有し、凸部６４及び凹部６３が、吸熱板６の他面に全体的に形成されている場合について説明したが、本発明はこれに限るものでない。
【００７９】
図８は本発明の実施の形態３に係るテレビジョン受像機１００の要部構成を示す部分的縦断面図である。本発明の実施の形態３に係るテレビジョン受像機１００は、間隔保持部８が別部材として設けられており、凸部６４，凹部６３及び放熱板９を省いた構成を有する。
【００８０】
本発明の実施の形態３に係るテレビジョン受像機１００における吸熱板６は、凸部６４及び凹部６３が形成されておらず、内部に空洞６９を有している。また、空洞６９は複数の領域に区切られている。更に、吸熱板６の他面は扁平であり、空気と接するように構成されている。また、空洞６９内には冷却液６６が注入されていても良い。
【００８１】
従って、吸熱板６は導光板５（光源部３）が発する熱を空気中に放熱する。すなわち、導光板５（光源部３）が発する熱は、吸熱板６の前記一面を介して空洞６９に吸収され、冷却液６６によって冷却される。また、空洞６９によって吸収された熱は、吸熱板６の他面から空気中に放熱される。すなわち、放熱板を省いた構成であるにも関わらず、導光板５が発する熱を効果的に放熱でき、部品点数を減らし、装置のコンパクト化を図ることができる。
【００８２】
また、吸熱板６は、光源部３側の端にて、吸熱板６の厚み方向に曲げられた屈曲部６８を有している。換言すれば、屈曲部６８（吸熱部）は、吸熱板６の光源部３側の端から、光源部３の基板３２の他面側に、該他面に沿って延設されている。屈曲部６８の内部には空洞６９が形成されており、該空洞６９には冷却液６６が注入されている構成であっても良い。
【００８３】
従って、光源部３（基板３２）の熱が屈曲部６８（冷却液６６）を介して吸熱板６の全体に拡散され、吸熱板６の他面全体から空気中に放熱されるので、直接的に光源部３が発する熱を放熱することも可能である。
【００８４】
実施の形態１と同様の部分については、同一の符号を付して詳細な説明を省略する。
【００８５】
なお、以上の記載では、間隔保持部８、導光板５及び吸熱板６が一体成型されており、これらの一体成型は、ガスアシスト成形方法及び２色成型方法にて行われることについて説明したが、本発明はこれに限るものでない。導光板５のみを予め用意しておき、金型にセットして、いわゆるインサート成型を行うことにより、一体成型しても良い。
【符号の説明】
【００８６】
２  液晶表示パネル
３  光源部（光源）
４  光学シート
５  導光板
６  吸熱板
８  間隔保持部
９  放熱板
３１  光源
３２  基板
６１  一面
６３  凹部
６４  凸部
６５  空洞
６６  冷却液
６８  突出部（吸熱部）
８３  空洞
１００  テレビジョン受像機
【図１】
2015159397.tif 000003
【図２】
2015159397.tif 000004
【図３】
2015159397.tif 000005
【図４】
2015159397.tif 000006
【図５】
2015159397.tif 000007
【図６】
2015159397.tif 000008
【図７】
2015159397.tif 000009
【図８】
2015159397.tif 000010
【手続補正書】
【提出日】平成28年9月13日(2016.9.13)
【手続補正１】
【補正対象書類名】特許請求の範囲
【補正対象項目名】全文
【補正方法】変更
【補正の内容】
【特許請求の範囲】
【請求項１】
側面から入射される光を一面から出射させる導光板を備え、該導光板からの光にて画像表示を行う表示装置において、
前記導光板と一体成型され、一面が該導光板の他面と接し、該導光板から熱を吸収する吸熱板を備え、
前記吸熱板は他面に凸部及び凹部を有し、
前記凸部は空洞を有することを特徴とする表示装置。
【請求項２】
前記導光板の一面側に設けられた光学シートと、
前記導光板の一面の縁部に設けられ、該導光板及び前記光学シートの間隔を保持する間隔保持部とを備え、
該間隔保持部は空洞を有することを特徴とする請求項１に記載の表示装置。
【請求項３】
前記光学シートを介して入射される光を用いて画像を表示する表示パネルを備え、
前記間隔保持部は、前記光学シート及び表示パネルの間隔を保つように構成されていることを特徴とする請求項２に記載の表示装置。
【請求項４】
前記間隔保持部、導光板、及び吸熱板は一体成型されていることを特徴とする請求項２又は３に記載の表示装置。
【請求項５】
前記吸熱板の前記凸部は、前記導光板の一側面に係る縁部に設けられていることを特徴とする請求項１から４の何れか一項に記載の表示装置。
【請求項６】
側面から入射される光を一面から出射させる導光板を備え、該導光板からの光にて画像表示を行う表示装置において、
前記導光板と一体成型され、一面が該導光板の他面と接し、該導光板から熱を吸収する吸熱板と、
前記導光板の一面側に設けられた光学シートと、
前記導光板の一面の縁部に設けられ、該導光板及び前記光学シートの間隔を保持する間隔保持部とを備え、
前記間隔保持部は空洞を有することを特徴とする表示装置。
【請求項７】
前記光学シートを介して入射される光を用いて画像を表示する表示パネルを備え、
前記間隔保持部は、前記光学シート及び表示パネルの間隔を保つように構成されていることを特徴とする請求項６に記載の表示装置。
【請求項８】
前記間隔保持部、導光板、及び吸熱板は一体成型されていることを特徴とする請求項６又は７に記載の表示装置。
【請求項９】
前記吸熱板は他面に凸部及び凹部を有することを特徴とする請求項６から８の何れか一項に記載の表示装置。
【請求項１０】
前記吸熱板の前記凸部は、前記導光板の一側面に係る縁部に設けられていることを特徴とする請求項９に記載の表示装置。
【請求項１１】
前記吸熱板は空洞を有することを特徴とする請求項６から１０の何れか一項に記載の表示装置。
【請求項１２】
前記吸熱板が有する前記空洞内には冷却液が注入されていることを特徴とする請求項１から５および１１の何れか一項に記載の表示装置。
【請求項１３】
前記導光板の一側面の付近に設けられた光源を備え、
前記光源は、発光素子と、該発光素子を一面に実装した基板とを有しており、
前記基板の他面側に該基板の熱を吸収する中空の吸熱部を備え、
該吸熱部は前記吸熱板と一体成型されていることを特徴とする請求項１から１２の何れか一項に記載の表示装置。
【請求項１４】
前記吸熱板の一面は白色であることを特徴する請求項１から１３の何れか一項に記載の表示装置。
【請求項１５】
前記吸熱板の他面と接する放熱板を備えることを特徴とする請求項１から１４の何れか一項に記載の表示装置。
【国際調査報告】
2015159397.tif 000011
2015159397.tif 000012
2015159397.tif 000013
2015159397.tif 000014